(57)【要約】      （修正有）【課題】板紙ほど強度や厚みのない紙素材でも、簡単な加工を施すことで盤面を半分以上露出させてディスクを固定し、搬送に耐え得る強度を持ち、且つ軽量化、低コスト化を実現するディスク収納体を提供する。【解決手段】台紙１にディスク１１を挿入する切込み部２と、少なくとも１つ以上の折り部３ａ，３ｂとが形成されたディスク収納体であって、前記切込み部の両端部を結ぶ線分の距離はディスクの直径未満であり、前記切込み部及び折り部の位置を、前記切込み部に裏面からディスクを挿入し、裏面が内側になるように折り部を折り畳むと、裏面側のディスク周端が切込み部のある面７と隣り合う面８との間の折り部近傍となるよう形成することにより、ディスクを切込み部と前記ディスク周端の近傍に位置する折り部とで保持することを特徴とするディスク収納体。【選択図】図５
2007099361.tif 000002
【特許請求の範囲】
【請求項１】
台紙に、ディスクを挿入する切込み部と、少なくとも１つ以上の折り部とが形成されたディスク収納体であって、
前記切込み部の両端部を結ぶ線分の距離はディスクの直径未満であり、
前記切込み部及び折り部の位置を、前記切込み部に裏面からディスクを挿入し、裏面が内側になるように折り部を折り畳むと、裏面側のディスク周端が切込み部のある面と隣り合う面との間の折り部近傍となるよう形成することにより、
ディスクを切込み部と前記ディスク周端の近傍に位置する折り部とで保持することを特徴とするディスク収納体。
【請求項２】
前記切込み部の端部は、前記台紙のディスクを保持する側に返し加工が施されていることを特徴とする請求項１記載のディスク収納体。
【請求項３】
前記切込み部は円弧、直線、曲線、直線の組合せ、又は、曲線と直線の組合せのうち、いずれか１つの形状であって、ディスクを挿入して折り部を折畳んだ時にディスク盤面が半分以上表面に露出することを特徴とする請求項１又は請求項２記載のディスク収納体。
【請求項４】
前記ディスク収納体は、前記切込み部が折り部の側を向くように台紙の端面に形成されており、
ディスク挿入側に前記切込み部の両端を結ぶ線分に対して平行に設けられた２つの折り部を片観音三つ折りに折畳むことを特徴とする請求項１乃至３記載のディスク収納体。
【請求項５】
台紙に、ディスクを挿入する切込み部と、少なくとも１つ以上の折り部とが形成されたディスク収納構造であって、
前記切込み部の両端部を結ぶ線分の距離はディスクの直径未満であり、
前記切込み部及び折り部の位置を、前記切込み部に裏面からディスクを挿入し、裏面が内側になるように折り部を折り畳むと、裏面側のディスク周端が切込み部のある面と隣り合う面との間の折り部近傍となるよう形成することにより、
ディスクを切込み部と前記ディスク周端の近傍に位置する折り部とで保持することを特徴とするディスク収納構造。
【請求項６】
前記切込み部の端部は、前記台紙のディスクを保持する側に返し加工が施されていることを特徴とする請求項５記載のディスク収納構造。
【請求項７】
前記台紙の周縁部又は折り部が冊子に綴じ込まれていることを特徴とする請求項１乃至４記載のディスク収納体。
【発明の詳細な説明】
【技術分野】
【０００１】
本願発明はディスクを収納するディスク収納体に関する。
【背景技術】
【０００２】
ＣＤ、ＤＶＤ等に代表されるディスクは、パンフレットや商品と共に、或いは単独で頒布されたり、雑誌に添付されて店頭に陳列されたりする等、その流通形態が種々の分野に拡大されている。
【０００３】
従来のディスク収納体はそれらの流通形態に対応するため、板紙、四六判２００ｋｇ以上の厚紙、プラスチックシート等で形成されることが多く、軽量化が困難であった。例えば特許文献１には、米坪２７０ｇ／ｍ＾２から米坪４５０ｇ／ｍ＾２の間の板紙を用いた情報記憶媒体収納体に関する記載がある。
【０００４】
また、ディスクの破損を防ぐために厚紙を封筒状にする、別品のディスク保護体を貼り付ける、等の加工をする方法もあるが、製造工程が煩雑である、コストがかかる等の問題があった。切込み部にディスクを差込むディスク収納体では、完全に固定できず、逆さにするとディスクが抜けてしまったり、搬送時にずれて、データ面に瑕疵ができてしまうこともあった。
【０００５】
例えばディスクのデータ面が触れる部分にポリプロピレンを貼る等の加工を施したり、ディスクを固定するためにプラスチックケースやセンターピースのようなディスク固定具を用いることにより、ディスクを保護することは可能である。しかし、そのような方法を用いると購入費や加工費等でコストが嵩むのが常であった。
【０００６】
また、切込み部の破れを防ぐために切込み部の両端に形成される返し加工は、たいていディスクと反対方向に向けて設けられているが、ディスクの大きさに近いサイズのリーフレット状のディスク収納体では、返しをそのように施すと切込み部と台紙周縁部が近づきすぎ、破れてしまう危険性があった。その上、切込み部の両端を結ぶ線分の距離をディスクの直径以上にとるとディスクが固定されないが、同じ距離であれば、ディスクと反対側に返しを設けた場合、ディスクを保持する側に返しを設けた場合よりも、盤面の露出面積が狭くなってしまう。また、ディスクを収納した時に返しが見えてしまい、見栄えもよいとはいえない。
【０００７】
更に、ディスクの盤面を見せたままディスク収納体に収納すると強度が足りず、搬送時等、ディスク及びディスク収納体に圧力がかかると破損する惧れがあった。
【０００８】
【特許文献１】特許第３３９９２３６号公報
【発明の開示】
【発明が解決しようとする課題】
【０００９】
上記問題に鑑み、本発明は、板紙ほど強度や厚みのない紙素材でも、簡単な加工を施すことで盤面を半分以上露出させてディスクを固定し、搬送に耐え得る強度を持ち、且つ軽量化、低コスト化を実現するディスク収納体を提供することを課題とする。
【課題を解決するための手段】
【００１０】
前記課題を解決するために、請求項１の発明は、台紙に、ディスクを挿入する切込み部と、少なくとも１つ以上の折り部とが形成されたディスク収納体であって、前記切込み部の両端部を結ぶ線分の距離はディスクの直径未満であり、前記切込み部及び折り部の位置を、前記切込み部に裏面からディスクを挿入し、裏面が内側になるように折り部を折り畳むと、裏面側のディスク周端が切込み部のある面と隣り合う面との間の折り部近傍となるよう形成することにより、ディスクを切込み部と前記ディスク周端の近傍に位置する折り部とで保持することを特徴とするディスク収納体である。
【００１１】
請求項２の発明は、前記切込み部の端部は、前記台紙のディスクを保持する側に返し加工が施されていることを特徴とする請求項１記載のディスク収納体である。
【００１２】
請求項３の発明は、前記切込み部は円弧、直線、曲線、直線の組合せ、又は、曲線と直線の組合せのうち、いずれか１つの形状であって、ディスクを挿入して折り部を折畳んだ時にディスク盤面が半分以上表面に露出することを特徴とする請求項１又は請求項２記載のディスク収納体である。
【００１３】
請求項４の発明は、前記ディスク収納体は、前記切込み部が折り部の側を向くように台紙の端面に形成されており、ディスク挿入側に前記切込み部の両端を結ぶ線分に対して平行に設けられた２つの折り部を片観音三つ折りに折畳むことを特徴とする請求項１乃至３記載のディスク収納体である。
【００１４】
請求項５の発明は、台紙に、ディスクを挿入する切込み部と、少なくとも１つ以上の折り部とが形成されたディスク収納構造であって、前記切込み部の両端部を結ぶ線分の距離はディスクの直径未満であり、前記切込み部及び折り部の位置を、前記切込み部に裏面からディスクを挿入し、裏面が内側になるように折り部を折り畳むと、裏面側のディスク周端が切込み部のある面と隣り合う面との間の折り部近傍となるよう形成することにより、ディスクを切込み部と前記ディスク周端の近傍に位置する折り部とで保持することを特徴とするディスク収納構造である。
【００１５】
請求項６の発明は、前記切込み部の端部は、前記台紙のディスクを保持する側に返し加工が施されていることを特徴とする請求項５記載のディスク収納構造である。
【００１６】
請求項７の発明は、前記台紙の周縁部又は折り部が冊子に綴じ込まれていることを特徴とする請求項１乃至４記載のディスク収納体である。
【発明の効果】
【００１７】
請求項１の発明によれば、板紙ほど強度のないリーフレット状の紙素材でも、簡単な加工を施すことでディスクを固定し、搬送に耐え得る強度を持ち、且つ軽量化、低コスト化を実現するディスク収納体を提供することが可能である。
【００１８】
また、請求項２及び請求項６の発明によれば、切込み部の両端に返し加工を施すことにより、切込み部の破れを防ぐとともに、ディスクを保持する側に返しを設けることで表面に露出するディスク盤面の面積を広くとることが可能であり、更には表面から返しが見えず、見栄えが良くなる。
【００１９】
また、請求項３の発明によれば、裏面から切込み部にディスクを挿入すると、裏面側の台紙はディスクのデータ面を保護し、表面側ではディスク盤面を半分以上露出させることが可能である。
【００２０】
また、請求項４の発明によれば、折り部を片観音三つ折りに折畳む事でディスクのデータ面側の厚みが増してクッションの役割を果たし、ディスクの保護を強化することができる。更に、三つ折りにすることで、データ面と接触するのは常に台紙の表面側となり、印刷面とデータ面が接触しないようにニスを塗布する場合、表面のみ塗布加工すればよいことになり、加工工程の簡略化及びコスト削減が可能となる。
【００２１】
また、請求項５の発明によれば、切込みと折り目のみの成形で容易にディスクを収納し、固定する構造が出来上がるため、低コスト化を図ることができる。
【００２２】
また、請求項７の発明によれば、板紙よりも薄く強度の劣る素材で形成したディスク収納体を雑誌や書籍、絵本等の冊子に綴じ込むことが可能であり、嵩張らない、表面に露出するディスク盤面の面積が広いため綴じ込まれたままでもディスク盤面がよく見える、ディスクが固定されており、ディスク収納体を開かなければディスクが出てこない、安価に製造できる等の効果がある。
【発明を実施するための最良の形態】
【００２３】
以下、図面を参照しながら、実施の形態をあげ、本発明をさらに詳細に説明する。図１は、本発明によるディスク収納体の第１実施形態を示す図である。図２は、第１実施形態によるディスク収納体を半ば折畳んだ状態を示す図である。図３は、第１実施形態によるディスク収納体にディスクを挿入して半ば折畳んだ状態を示す図である。図４は、ディスク収納体にディスクを挿入した状態を表から見た図である。図５は、ディスク収納体にディスクを挿入した状態を裏から見た図である。
【００２４】
本ディスク収納体の実施例として、台紙サイズ３８１．５×１８２ｍｍ、折畳みサイズ１２８×１８２ｍｍ（Ｂ６判）の三つ折りリーフレット状のディスク収納体について説明する。
【００２５】
ディスク収納体は、板紙より薄く軽量な材質で形成可能である。ただし、紙が薄く、且つニス加工やポリプロピレン加工が施されていない等、強度の弱い材質の場合、ディスクを破損から保護しきれなくなる可能性がある。よりコストのかからない紙を用いて三つ折りのディスク収納体を形成する場合、用いる紙は四六版（７８８＊１０９１ｍｍ）連量１６０ｋｇ、米坪１８６ｇ／ｍ＾２以上の紙厚が望ましい。例えばジャンダルコート四六判１６０ｋｇなら充分利用可能である。二つ折りの場合は、それよりも厚い用紙にしたほうが安全である。
【００２６】
切込み部２のディスク収納体上における位置及び切込み部両端を結ぶ線分６の距離はディスクの大きさによって変わるが、ディスクが直径１２ｃｍのＤＶＤやＣＤである場合は１２ｃｍ未満となる。ディスクの直径よりもある程度短い方が、万が一切込み部の端部が破れた場合にもディスクを保持することができ、安全である。図１の例では、線分６は１１４ｍｍとしている。
【００２７】
切込み部２及び折り部３ａ，３ｂは、型抜きによる切込み加工及び折り筋加工で容易に形成可能である。ディスク収納体の強度を保つため、返し４の位置が台紙周縁部５ａ，５ｂ及び折り部３ａから５ｍｍ以上離れるように切込み部２を形成する。図１において切込み部２の円弧の頂点は、折り部３ａからおよそ４１ｍｍの位置にくるよう形成されているが、これは切込みの形状によって変わる。
【００２８】
切込み部２は、折り部３ａからの距離がディスクの保持に支障を来さない範囲であり、且つ台紙周縁部５ｂからの距離が、台紙が破れない程度の強度を保てる範囲内であれば、自由に配置可能である。
【００２９】
前記のとおり、台紙１に切込み及び筋目を加工することにより形成されたディスク収納体は、片観音三つ折りのたとうである。
【００３０】
次に、前記ディスク収納体にディスク１１を挿入する場合について説明する。ディスク１１を裏面１０から切込み部２に挿入する。そして、裏面１０が内側となるように、切込み部が形成された面７とは反対側の台紙端部の裏面と切込み部が形成された面と隣り合う面８とが接触するように折り部３ｂを折り畳む。次に、切込み部が形成された面７の裏面１０が内側となるように折り部３ａを折り畳むことにより、切込み部２と台紙の折り部３ａ周縁部とでディスク１１を固定する。ディスク収納体を開かない限りディスク１１は固定されているが、ディスク収納体を開けば容易にディスク１１を取り出すことができる。
【実施例】
【００３１】
ディスク収納体にインクが塗布されている場合、インクの種類やディスク収納体の保存環境によっては、ディスクをディスク収納体に挿入しておくと、インクがディスクに付着してデータの読取を妨げることがある。しかし、前記方法を用いてディスク収納体を片観音で三つ折り以上にした場合、リーフレット表面のみにニスを塗布することで、ディスクのデータ面をインクの汚れから保護することが可能となる。
【００３２】
実施の形態では片観音三つ折りの場合の折り畳み方について説明したが、折り部の数や折り畳み方はこの限りでない。
【００３３】
切込み部は、例えば図１乃至図５に示す切り込み部２のような円弧のみでなく、曲線、直線、或いは曲線と直線の組合せ等、様々な形態が考えられる。例えばＶ字、Ｕ字、台形等でも、ディスクを挿入した時に台紙の表側にディスクの盤面が半分以上露出するような切込み部を形成することが可能である。図６に切込み部の例を示す。
【００３４】
また、本ディスク収納体の端部を冊子に綴じ込んで使用してもよい。例えば台紙周縁部５ａ、５ｃ、あるいは折り部３ａ、３ｂ部分を綴じ込むことが可能である。その際、綴じ込み用の糊代を設けておく必要がある。図７は台紙周縁部５ａが、図８は折り部３ａが冊子に綴じ込まれている様子を示している。
【００３５】
また、ディスク収納体毎ディスクを搬送または配布する場合、合成樹脂や紙製の袋体に納めておくと、ディスク及びディスク収納体の擦れによる汚れや疵、または折れや曲げによる破損からの保護を強化することが可能となる。
【００３６】
また、ディスク収納体に文字、図形、絵画、イラスト、写真等の情報を印刷することにより、例えばディスク収納体自体を広告媒体として利用することができる。本発明によるディスク収納体は、台紙に切込み部と折り部を形成しただけの構造であるため、印刷面が平坦に保たれている。従って凹凸や打抜き等によって前記情報の閲覧を妨げられることもなく、一般的なリーフレットと同様に扱うことが可能である。
【図面の簡単な説明】
【００３７】
【図１】本発明のディスク収納体の一実施の形態を示す説明図である。
【図２】ディスク収納体を半ば折畳んだ状態を示す図である。
【図３】ディスク収納体にディスクを挿入して半ば折畳んだ状態を示す図である。
【図４】ディスク収納体にディスクを挿入した状態を表から見た図である。
【図５】ディスク収納体にディスクを挿入した状態を裏から見た図である。
【図６】切込み部の形態の例を示す図である。
【図７】ディスク収納体の周縁部を冊子に綴じ込んだ状態を示す図である。
【図８】ディスク収納体の折り部を冊子に綴じ込んだ状態を示す図である。
【符号の説明】
【００３８】
１    台紙
２    切込み部
３ａ，３ｂ  折り部
４    返し
５ａ，５ｂ，５ｃ  台紙周縁部
６    切込み部の両端部を結ぶ線分
７    切込み部が形成された面
８    切込み部が形成された面と隣り合う面
９    台紙表面
１０  台紙裏面
１１  ディスク
【図１】
2007099361.tif 000003
【図２】
2007099361.tif 000004
【図３】
2007099361.tif 000005
【図４】
2007099361.tif 000006
【図５】
2007099361.tif 000007
【図６】
2007099361.tif 000008
【図７】
2007099361.tif 000009
【図８】
2007099361.tif 000010